(57)【要約】【課題】無駄なく安価に天地の設置方向を自動で判別できる画像投影装置を提供する。【解決手段】筐体１の底面側が天井にビスＢ２で固定されることにより天井に設置されるプロジェクタ１００に、ビスＢ２を係止する係止穴１１と、係止穴１１にビスＢ２が係止されたことを検出する検出部と、検出部が係止穴１１にビスＢ２が係止されたことを検出した場合に、出力する画像の上下を反転させる制御を行う画像反転手段（ＣＰＵ，画像反転プログラム）と、を備え、検出部に、発光部２Ａと、当該発光部２Ａから発光される光を受光すた受光部２Ｂと、を備え、発光部２Ａを、係止穴１１にビス２Ｂが係止された場合に、当該ビス２Ｂにより、発光部２Ａから発光される光が遮断されるように配置した。【選択図】図４
2007178651.tif 000002
【特許請求の範囲】
【請求項１】
筐体の底面側が天井に固定金具で固定されることにより天井に設置される画像投影装置において、
前記筐体に設けられ、前記固定金具を係止する係止穴と、
前記係止穴に前記固定金具が係止されたことを検出する検出部と、
前記検出部が前記係止穴に前記固定金具が係止されたことを検出した場合に、出力する画像の上下を反転させる制御を行う画像反転手段と、
を備え、
前記係止穴は、前記係止穴の側壁の対向する位置に一対の貫通穴部を備え、
前記検出部は、前記係止穴の外側であって、一方の前記貫通穴部に対応する位置に備えられた発光部と、前記係止穴の外側であって、他方の前記貫通穴部に対応する位置に備えられ、前記発光部から発光された光を受光する受光部と、を備え、
前記発光部は、前記係止穴に前記固定金具が係止された場合に、当該固定金具により、前記発光部から発光された光が遮断されるように配置されていることを特徴とする画像投影装置。
【請求項２】
筐体の底面側が天井に固定金具で固定されることにより天井に設置される画像投影装置において、
前記筐体に設けられ、前記固定金具を係止する係止穴と、
前記係止穴に前記固定金具が係止されたことを検出する検出部と、
前記検出部が前記係止穴に前記固定金具が係止されたことを検出した場合に、出力する画像の上下を反転させる制御を行う画像反転手段と、
を備えることを特徴とする画像投影装置。
【請求項３】
前記検出部は、発光部と、当該発光部から発光された光を受光する受光部と、を備え、
前記発光部は、前記係止穴に前記固定金具が係止された場合に、当該固定金具により、前記発光部から発光された光が遮断されるように配置されていることを特徴とする請求項２に記載の画像投影装置。
【請求項４】
前記検出部は、前記係止穴に前記固定金具が係止された場合に、前記固定金具により直接的或いは間接的に押下されてＯＮとなるスイッチを備えることを特徴とする請求項２に記載の画像投影装置。
【請求項５】
前記係止穴は、前記係止穴の側壁に孔部を備え、
前記検出部は、前記係止穴に前記固定金具が係止された場合に、前記固定金具により側壁方向に押されて前記孔部を移動する球体と、
前記球体が前記孔部を移動することに基づいてＯＮとなるスイッチと、を備えることを特徴とする請求項２に記載の画像投影装置。
【請求項６】
前記固定金具は、前記係止穴に螺合することにより前記係止穴に係止され、
前記係止穴は、筐体に固定された第１貫通穴部と、前記第１貫通穴部と弾性部材により連結された第２貫通穴部と、を備え、
前記第２貫通穴部は、前記係止穴に前記固定金具が螺合して係止された場合に前記固定金具に沿って上側に移動するとともに、前記弾性部材が前記第２貫通穴部の上側への移動に伴って外側に膨出するように構成され、
前記検出部は、膨出した前記弾性部材により押されてＯＮとなるスイッチを備えることを特徴とする請求項２に記載の画像投影装置。
【発明の詳細な説明】
【技術分野】
【０００１】
本発明は、画像投影装置に関する。
【背景技術】
【０００２】
従来、画像投影装置の筐体の底面が天井に固定されることにより、当該画像投影装置が天井等に取り付けられる。このようにして、画像投影装置が天井等に取り付けられると、画像投影装置の天地が逆となるため、投影される画像の上下を反転させる必要がある。そこで、画像投影装置の筐体内に、一端がヒンジで当該筐体側部に固定されたレバーと、画像投影装置の天地の設置方向に応じて移動するレバーの他端が接触する電極とを設け、画像投影装置の天地の設置方向を当該レバーが電極に接触することにより流れる電流を検出することにより判断し、投影される画像の上下を反転させるものが知られている（例えば、特許文献１）。
また、画像投影装置に角度センサを設け、画像投影装置の天地の設置方向を検出し、投影される画像の上下を反転させるものも知られている（例えば、特許文献２）。
また、画像投影装置の天地を逆にして設置した場合に、投影される画像の上下を反転させる指示を入力するための切替スイッチを設けたものも知られている（例えば、特許文献３）。
また、液晶などの画像投影素子を回転可能に筐体に取り付けるとともに、当該画像投影素子の回転を制御する切替スイッチを設け、切替スイッチが操作されると、当該画像投影素子を所定角度回転させることにより、投影される画像の縦横又は上下を変換するものも知られている（例えば、特許文献４）。
【特許文献１】特開平０３−１１９０号公報
【特許文献２】特開２００３−２９５３１０号公報
【特許文献３】実開登録３０８７７３３号公報
【特許文献４】特開平０５−２６８５５１号公報
【発明の開示】
【発明が解決しようとする課題】
【０００３】
しかしながら、画像投影装置の天地の設置方向を角度センサ等により検出することとすると、角度センサが高価であるため、画像投影装置が高価なものとなってしまう。また、特許文献１，２に記載の画像投影装置は、常に、画像投影装置の天地の設置方向を検出するため、実際には、天井に取り付けるわけではないが画像投影装置を逆さまにした場合にも、投影画像の上下が反転される制御が行われ、無駄が多い。また、特許文献３，４の画像投影装置は、当該画像投影装置の天地の設置方向を自動判断するものではなく、ユーザが切替スイッチを操作する必要があり、煩わしいという問題がある。
【０００４】
本発明の課題は、無駄なく安価に天地の設置方向を自動で判別できる画像投影装置を提供することである。
【課題を解決するための手段】
【０００５】
請求項１に記載の発明は、筐体の底面側が天井に固定金具で固定されることにより天井に設置される画像投影装置において、
前記筐体に設けられ、前記固定金具を係止する係止穴と、
前記係止穴に前記固定金具が係止されたことを検出する検出部と、
前記検出部が前記係止穴に前記固定金具が係止されたことを検出した場合に、出力する画像の上下を反転させる制御を行う画像反転手段と、
を備え、
前記係止穴は、前記係止穴の側壁の対向する位置に一対の貫通穴部を備え、
前記検出部は、前記係止穴の外側であって、一方の前記貫通穴部に対応する位置に備えられた発光部と、前記係止穴の外側であって、他方の前記貫通穴部に対応する位置に備えられ、前記発光部から発光された光を受光する受光部と、を備え、
前記発光部は、前記係止穴に前記固定金具が係止された場合に、当該固定金具により、前記発光部から発光された光が遮断されるように配置されていることを特徴としている。
【０００６】
請求項２に記載の発明は、筐体の底面側が天井に固定金具で固定されることにより天井に設置される画像投影装置において、
前記筐体に設けられ、前記固定金具を係止する係止穴と、
前記係止穴に前記固定金具が係止されたことを検出する検出部と、
前記検出部が前記係止穴に前記固定金具が係止されたことを検出した場合に、出力する画像の上下を反転させる制御を行う画像反転手段と、
を備えることを特徴としている。
【０００７】
請求項３に記載の発明は、請求項２記載の画像投影装置において、
前記検出部は、発光部と、当該発光部から発光された光を受光する受光部と、を備え、
前記発光部は、前記係止穴に前記固定金具が係止された場合に、当該固定金具により、前記発光部から発光された光が遮断されるように配置されていることを特徴としている。
【０００８】
請求項４に記載の発明は、請求項２に記載の画像投影装置において、
前記検出部は、前記係止穴に前記固定金具が係止された場合に、前記固定金具により直接的或いは間接的に押下されてＯＮとなるスイッチを備えることを特徴としている。
【０００９】
請求項５に記載の発明は、請求項２に記載の画像投影装置において、
前記係止穴は、前記係止穴の側壁に孔部を備え、
前記検出部は、前記係止穴に前記固定金具が係止された場合に、前記固定金具により側壁方向に押されて前記孔部を移動する球体と、
前記球体が前記孔部を移動することに基づいてＯＮとなるスイッチと、を備えることを特徴としている。
【００１０】
請求項６に記載の発明は、請求項２に記載の画像投影装置において、
前記固定金具は、前記係止穴に螺合することにより前記係止穴に係止され、
前記係止穴は、筐体に固定された第１貫通穴部と、前記第１貫通穴部と弾性部材により連結された第２貫通穴部と、を備え、
前記第２貫通穴部は、前記係止穴に前記固定金具が螺合して係止された場合に前記固定金具に沿って上側に移動するとともに、前記弾性部材が前記第２貫通穴部の上側への移動に伴って外側に膨出するように構成され、
前記検出部は、膨出した前記弾性部材により押されてＯＮとなるスイッチを備えることを特徴としている。
【発明の効果】
【００１１】
請求項１に記載の発明によれば、検出部により、係止穴に固定金具が係止されたことが検出され、検出部が係止穴に固定金具が係止されたことを検出した場合に、画像反転手段により、出力する画像の上下を反転させる制御がなされるので、天井に取り付けた場合にのみ、投影画像の上下が反転される制御がなされることとなって、画像制御における無駄を低減できる。
また、高価な角度センサ等を備えずとも、係止穴に固定金具が係止された場合に、当該固定金具により発光部から発光された光が遮断されることにより、検出部が係止穴に固定金具が係止されたことを検出できるので、発光部と受光部等を備える簡単な構造の検出部
を備えるだけで、画像投影装置の天地の設置方向を検出することができることとなって、より安価に天地の設置方向を自動で判別できる画像投影装置を提供できる。
【００１２】
請求項２に記載の発明によれば、検出部により、係止穴に固定金具が係止されたことが検出され、検出部が係止穴に固定金具が係止されたことを検出した場合に、画像反転手段により、出力する画像の上下を反転させる制御がなされるので、天井に取り付けた場合にのみ、投影画像の上下が反転される制御がなされることとなって、画像制御における無駄を低減できる。
また、高価な角度センサ等を備えずとも、検出部が係止穴に固定金具が係止されたことを検出することにより、画像投影装置の天地の設置方向を検出することができ、比較的安価に天地の設置方向を自動で判別できる画像投影装置を提供できる。
【００１３】
請求項３に記載の発明によれば、請求項２記載の発明と同様の効果が得られるのは勿論のこと、特に、係止穴に固定金具が係止された場合に、当該固定金具により発光部から発光された光が遮断されることにより、検出部が係止穴に固定金具が係止されたことを検出できるので、発光部と受光部等を備える簡単な構造の検出部を備えるだけで、画像投影装置の天地の設置方向を検出することができることとなって、より安価に天地の設置方向を自動で判別できる画像投影装置を提供できる。
【００１４】
請求項４に記載の発明によれば、請求項２に記載の発明と同様の効果が得られるのは勿論のこと、特に、係止穴に固定金具が係止された場合に、固定金具により直接的或いは間接的に押下されてスイッチがＯＮとなることにより、検出部が係止穴に固定金具が係止されたことを検出できるので、固定金具により直接的或いは間接的に押下されるスイッチを備える簡単な構造の検出部を備えるだけで、画像投影装置の天地の設置方向を検出することができることとなって、より安価に天地の設置方向を自動で判別できる画像投影装置を提供できる。
【００１５】
請求項５に記載の発明によれば、請求項２に記載の発明と同様の効果が得られるのは勿論のこと、特に、係止穴に固定金具が係止された場合に、固定金具に押されて球体が孔部を側壁方向に移動することに基づいて、スイッチがＯＮとなって、検出部が係止穴に固定金具が係止されたことを検出できるので、係止穴の孔部を移動する球体と球体の移動に基づいてＯＮされるスイッチとを備える簡単な構造の検出部を備えるだけで、画像投影装置の天地の設置方向を検出することができることとなって、より安価に天地の設置方向を自動で判別できる画像投影装置を提供できる。
【００１６】
請求項６に記載の発明によれば、請求項２に記載の発明と同様の効果が得られるのは勿論のこと、特に、係止穴に固定金具が螺合して係止された場合に、第２貫通穴部が固定金具に沿って上側に移動し、第２貫通穴部の上側への移動に伴って弾性部材が外側に膨出し、膨出した弾性部材により押されてスイッチがＯＮとなることにより、検出部が係止穴に固定金具が係止されたことを検出できるので、係止穴を第１貫通穴部と第２貫通穴部と第１貫通穴部及び第貫通穴部を連結する弾性部材とから構成し、膨出した弾性部材に押されてＯＮとなるスイッチを備える簡単な構造の検出部を備えるだけで、画像投影装置の天地の設置方向を検出することができることとなって、より安価に天地の設置方向を自動で判別できる画像投影装置を提供できる。
【発明を実施するための最良の形態】
【００１７】
以下、図を参照して、本発明に係る画像投影装置を実施するための最良の形態を詳細に説明する。本発明に係る画像投影装置としてプロジェクタを例示して説明する。
（第１の実施形態）
第１の実施形態に係るプロジェクタ１００を例示して説明する。図１にプロジェクタ１
００の背面図，図２にプロジェクタ１００を天井Ｔに取り付けた状態における図１のＩＩ−ＩＩ矢視図を示す。また、図３にプロジェクタ１００内部の要部構成を示す。
【００１８】
まず、本発明に係るプロジェクタ１００の構成について説明する。図１に示すように、プロジェクタ１００の筐体１の背面側には、当該プロジェクタ１００を天井Ｔに固定するための固定金具としてのビスＢ２が係止される係止穴１１が設けられている。また、係止穴１１は、例えば、プロジェクタ１００の筐体１の背面側において、三角形の各頂点となる位置に配置されている。
【００１９】
そして、プロジェクタ１００は、例えば、図２に示すように、天井Ｔに固定されたアダプタＡと連結されることによって、天井Ｔに固定される。より具体的には、天井Ｔは、ビスＢ１が係止される穴部Ｔ１を備え、アダプタＡは、ビスＢ１が係止される第１孔部Ａ１及びビスＢ２が係止される第２孔部Ａ２を備えており、ビスＢ１が第１孔部Ａ１及び穴部Ｔ１に係止されることにより、天井ＴにアダプタＡが固定され、ビスＢ２が第２孔部Ａ２及び係止穴１１に係止されることにより、アダプタＡとプロジェクタ１００とが連結されるようになっている。
【００２０】
係止穴１１は、例えば、図４に示すように、当該係止穴１１の側壁の対向する位置に一対の貫通穴部１１Ａ，１１Ａを備えている。また、係止穴１１に設けられた貫通穴部１１Ａの周囲に沿うように、接地されたワッシャリング等の導電性部材ｘが備えられており、静電気発生等による電流が筐体１内部へ流れるのを防止している。なお、接地された導電性部材ｘの代わりに絶縁性部材が備えられてもよい。
【００２１】
また、プロジェクタ１００は、例えば、図３に示すように、検出部２，ＣＰＵ（Central  Processing  Unit）３，ＲＡＭ（Random  Access  Memory）４，記憶部５等を備えて
構成され、各部はバス６により接続されている。
【００２２】
検出部２は、例えば、図４に示すように、発光部２Ａと、当該発光部２Ａから発光された光を受光する受光部２Ｂ等を備えて構成されている。発光部２Ａは、例えば、発光ダイオード等を備えて構成され、受光部２Ｂは、受光トランジスタ等を備えて構成されている。
また、発光部２Ａは、係止穴１１にビスＢ２が係止された場合に、当該ビスＢ２により、当該発光部２Ａから発光された光が遮断されるように配置されている。より具体的には、例えば、図４に示すように、発光部２Ａ及び受光部２Ｂは、それぞれ、係止穴１１の外側であって一方の貫通穴部１１Ａに対応する位置及び他方の貫通穴部１１Ａに対応する位置に備えられている。
そして、ビスＢ２が係止穴１１に係止される前において（図４（ａ））、発光部２Ａから発光された光は遮断されず、受光部２Ｂによって受光される。一方、ビスＢ２が係止穴１１に係止されると（図４（ｂ））、発光部２Ａから発光された光は当該ビスＢ２により遮断され、受光部２Ｂによって受光されなくなり、検出部２は、受光部２Ｂが受光できないことに基づく検出信号をＣＰＵ３へ出力する。
【００２３】
ＣＰＵ３は、記憶部５に格納された処理プログラム等を読み出して、ＲＡＭ４に展開して実行することにより、プロジェクタ１００全体の制御を行う。
【００２４】
ＲＡＭ４は、ＣＰＵ３により実行された処理プログラム等を、ＲＡＭ４内のプログラム格納領域に展開するとともに、入力データや上記処理プログラムが実行される際に生じる処理結果等をデータ格納領域に格納する。
【００２５】
記憶部５は、例えば、プログラムやデータ等が予め記憶されている記録媒体（図示せず
）を有しており、この記録媒体は、例えば、半導体メモリ等で構成されている。また、記憶部５は、ＣＰＵ３がプロジェクタ１００全体を制御する機能を実現させるための各種データ，各種処理プログラム，これらプログラムの実行により処理されたデータ等を記憶する。より具体的には、記憶部５は、例えば、図３に示すように、画像反転プログラム５Ａ等を格納している。
【００２６】
画像反転プログラム５Ａは、例えば、ＣＰＵ３に、検出部２が、係止穴１１にビスＢ２が係止されたことを検出した場合に、プロジェクタ１００が投影する画像の上下を反転させる制御を行う機能を実現させるプログラムである。ＣＰＵ３は、かかる画像反転プログラム５Ａを実行することにより、画像反転手段として機能する。
【００２７】
次に、上述のような構成のプロジェクタ１００の天井Ｔへの設置に伴う動作を説明する。
まず、プロジェクタ１００がアダプタＡと連結されることに伴って、ビスＢ２が係止穴１１に係止されると、検出部２により、ビスＢ２が係止穴１１に係止されたことが検出される。より具体的には、係止穴１１に係止されたビスＢ２により、発光部２Ａから発光された光が遮断され、受光部２Ｂによって受光されなくなり、検出部２により、受光部２Ｂが受光できないことに基づく検出信号がＣＰＵ３に出力される。
次いで、ＣＰＵ３が画像反転プログラム５Ａを実行することにより、プロジェクタが投影する画像の上下を反転する画像制御が行われる。
【００２８】
以上に説明した、第１の実施形態に係るプロジェクタ１００によれば、検出部２により、係止穴１１にビスＢ２が係止されたことが検出され、検出部２が係止穴１１にビスＢ２が係止されたことを検出した場合に、ＣＰＵ３が画像反転プログラム５Ａを実行することにより、出力する画像の上下を反転させる制御がなされるので、天井Ｔに取り付けた場合にのみ、投影画像の上下が反転される制御がなされることとなって、画像制御における無駄を低減できる。
また、高価な角度センサ等を備えずとも、係止穴１１にビスＢ２が係止された場合に、当該ビスＢ２により発光部２Ａから発光される光が遮断されることにより、検出部２が係止穴１１にビスＢ２が係止されたことを検出できるので、発光部２Ａと受光部２Ｂ等を備える簡単な構造の検出部２を備えるだけで、プロジェクタ１００の天地の設置方向を検出することができることとなって、より安価に天地の設置方向を自動で判別できるプロジェクタ１００を提供できる。
【００２９】
（第２の実施形態）
第２の実施形態に係るプロジェクタ２００は、図５，図６に示すように、第１の実施形態に係るプロジェクタ１００において、係止穴１２及び検出部２１の構成のみが異なるので、その他の構成については同一符号を付すとともに、その説明を省略する。
【００３０】
係止穴１２は、例えば、図６に示すように、当該係止穴１２の底面に孔部１２Ａを備えている。
【００３１】
検出部２１は、例えば、ビスＢ２が係止穴１２に係止された際に、当該ビスＢ２により押下されてＯＮとなるスイッチ２１Ａ等を備えて構成されている。
より具体的には、例えば、図６に示すように、スイッチ２１Ａは、係止穴１２の孔部１２Ａの周囲を構成する筐体１とコイルバネＢ等の弾性部材を介して取り付けられている。
そして、ビスＢ２が係止穴１２に係止される前において（図６（ａ））、コイルバネＢの付勢力によりスイッチ２１Ａの接点連結部２１Ａａが二つの接点から離間した状態（ＯＦＦ）となっている。一方、ビスＢ２が係止穴１２に係止されると（図６（ｂ））、スイッチ２１Ａは、ビスＢ２によりスイッチ２１Ａの接点連結部２１Ａａが押下されて、二つ
の接点が連結されることによりＯＮとなり、検出部２１は、スイッチ２１ＡがＯＮとなることに基づく検出信号をＣＰＵ３に出力する。
なお、スイッチ２１Ａは、例えば、マグネット等を用いた磁気スイッチ等であってもよく、その場合には、スイッチ２１Ａは、係止穴１２にビスＢ２が係止されることによって、マグネットの磁気を検出し、間接的にＯＮとなる。
【００３２】
以上に説明した、第２の実施形態に係るプロジェクタ２００によれば、検出部２１により、係止穴１２にビスＢ２が係止されたことが検出され、検出部２１が係止穴１２にビスＢ２が係止されたことを検出した場合に、ＣＰＵ３が画像反転プログラム５Ａを実行することにより、出力する画像の上下を反転させる制御がなされるので、天井Ｔに取り付けた場合にのみ、投影画像の上下が反転される制御がなされることとなって、画像制御における無駄を低減できる。
また、高価な角度センサ等を備えずとも、係止穴１２にビスＢ２が係止された場合に、ビスＢ２により直接的或いは間接的に押下されてスイッチ２１ＡがＯＮとなることにより、検出部２１が係止穴１２にビスＢ２が係止されたことを検出できるので、ビスＢ２により直接的或いは間接的に押下されるスイッチ２１Ａを備える簡単な構造の検出部２１を備えるだけで、プロジェクタ２００の天地の設置方向を検出することができることとなって、より安価に天地の設置方向を自動で判別できるプロジェクタ２００を提供できる。
【００３３】
（第３の実施形態）
第３の実施形態に係るプロジェクタ３００は、図７，図８に示すように、第１の実施形態に係るプロジェクタ１００において、ビスＢ３，係止穴１３，検出部２２の構成のみが異なるので、その他の構成については同一符号を付すとともに、その説明を省略する。
【００３４】
ビスＢ３は、例えば、当該ビス３の下部の側面形状が当該ビスＢ３の中心軸上に頂点がある山形となるように、下側に突出した形状を有している。
【００３５】
係止穴１３は、例えば、図８に示すように、当該係止穴１３の底面部の側壁に、底面が係止穴１３に向かって下方に傾斜した孔部１３Ａを備えている。また、係止穴１３に設けられた孔部１３Ａの周囲に沿うように、接地されたワッシャリング等の導電性部材ｘが備えられており、静電気発生等による電流が筐体１内部へ流れるのを防止している。なお、接地された導電性部材ｘの代わりに絶縁性部材が備えられてもよい。
【００３６】
検出部２２は、例えば、ビスＢ３が係止穴１３に係止された際に、当該ビスＢ３により側壁方向に押されて係止穴１３の孔部１３Ａを移動する球体２２Ａと、当該球体２２Ａが孔部１３Ａを移動することによりＯＮとなるスイッチ２２Ｂ等を備えて構成されている。
より具体的には、球体２２Ａは、例えば、係止部１３の底面部に設置された際に、当該球体２２Ａの中心がビスＢ３の中心軸からずれる位置となるような大きさを有している。そして、係止穴１３に係止されたビスＢ３が球体２２Ａの孔部１３Ａに対して反対側を押すことにより、球体２２Ａが側壁方向に孔部１３Ａを移動する。
【００３７】
そして、ビスＢ３が係止穴１３に係止される前において（図８（ａ））、球体２２Ａは孔部１３Ａを移動せず、スイッチ２２Ｂの接点連結部２２Ｂａが二つの接点から離間した状態（ＯＦＦ）となっている。一方、ビスＢ３が係止穴１３に係止されると（図８（ｂ））、ビスＢ３により球体２２Ａが押されて孔部１３Ａを移動し、移動した球体２２Ａによりスイッチ２２Ｂの接点連結部２２Ｂａが押されて二つの接点が連結されることにより、スイッチ２２ＢがＯＮとなり、検出部２２は、スイッチ２２ＢがＯＮとなることに基づく検出信号をＣＰＵ３に出力する。
【００３８】
以上に説明した、第３の実施形態に係るプロジェクタ３００によれば、検出部２２によ
り、係止穴１３にビスＢ３が係止されたことが検出され、検出部２２が係止穴１３にビスＢ３が係止されたことを検出した場合に、ＣＰＵ３が画像反転プログラム５Ａを実行することにより、出力する画像の上下を反転させる制御がなされるので、天井Ｔに取り付けた場合にのみ、投影画像の上下が反転される制御がなされることとなって、画像制御における無駄を低減できる。
また、高価な角度センサ等を備えずとも、係止穴１３にビスＢ３が係止された場合に、ビスＢ３に押されて球体２２Ａが孔部１３Ａを側壁方向に移動することに基づいて、スイッチ２２ＢがＯＮとなって、検出部２２が係止穴１３にビスＢ３が係止されたことを検出できるので、係止穴１３の孔部１３Ａを移動する球体２２Ａと球体２２Ａの移動に基づいてＯＮとされるスイッチ２２Ｂとを備える簡単な構造の検出部２２を備えるだけで、プロジェクタ３００の天地の設置方向を検出することができることとなって、より安価に天地の設置方向を自動で判別できるプロジェクタ３００を提供できる。
【００３９】
（第４の実施形態）
第４の実施形態に係るプロジェクタ４００は、図９，図１０に示すように、第１の実施形態に係るプロジェクタ１００において、ビスＢ４，係止穴１４，検出部２３の構成のみが異なるので、その他の構成については同一符号を付すとともに、その説明を省略する。
【００４０】
ビスＢ４は、後述する係止穴１４の第２貫通穴部１４Ｂに係止される部分のみ、当該第２貫通穴部１４Ｂと螺合するようになっている。
【００４１】
係止穴１４は、例えば、図１０に示すように、係止穴１４の上部側を構成する第１貫通穴部１４Ａ，係止穴１４の下部側を構成する第２貫通穴部１４Ｂ，当該第１貫通穴部１４Ａと第２貫通穴部１４Ｂとを連結する、例えば、板バネ等からなる弾性部材１４Ｃ等を備えて構成されている。また、弾性部材１４Ｃの厚さは、第１貫通穴部１４Ａ，第２貫通穴部１４Ｂの厚さに比べて薄くなっている。そして、係止穴１４の第２貫通穴部１４ＢにビスＢ４は螺合して係止されるようになっており、第２貫通穴部１４Ｂは、ビスＢ４に螺合するに従って上側へ移動するようになっており、当該第２貫通穴部１４Ｂの上側への移動に伴って、弾性部材１４Ｃが外側へ膨出するように弾性変形するようになっている。
【００４２】
検出部２３は、例えば、弾性部材１４Ｃの外面に接続され、ビスＢ４が第２貫通穴部１４Ｂと螺合するのに伴って、弾性変形して膨出した当該弾性部材１４Ｃに押されてＯＮとなるスイッチ２３Ａ等を備えて構成されている。
そして、ビスＢ４が係止穴１４に係止される前において（図１０（ａ））、弾性部材１４Ｃは弾性変形しておらず、スイッチ２３Ａの接点連結部２３Ａａが二つの接点から離間した状態となっており、スイッチ２３ＡはＯＦＦとなっている。一方、ビスＢ４が係止穴１４に係止され、ビスＢ４が第２貫通穴部１４Ｂと螺合すると（図１０（ｂ））、弾性部材１４Ｃが外側に膨出して接点連結部２３Ａａを押し、スイッチ２３ＡがＯＮとなり、検出部２３は、スイッチ２３ＡがＯＮとなることに基づく検出信号をＣＰＵ３に出力する。
【００４３】
以上に説明した、第４の実施形態に係るプロジェクタ４００によれば、検出部２３により、係止穴１４にビスＢ４が係止されたことが検出され、検出部２３が係止穴１４にビスＢ４が係止されたことを検出した場合に、ＣＰＵ３が画像反転プログラム５Ａを実行することにより、出力する画像の上下を反転させる制御がなされるので、天井Ｔに取り付けた場合にのみ、投影画像の上下が反転される制御がなされることとなって、画像制御における無駄を低減できる。
また、高価な角度センサ等を備えずとも、係止穴１４にビスＢ４が螺合して係止された場合に、第２貫通穴部１４ＢがビスＢ４に沿って上側に移動し、第２貫通穴部１４Ｂの上側への移動に伴って弾性部材１４Ｃが弾性変形して外側に膨出し、膨出した弾性部材１４Ｃにより押されてスイッチ２３ＡがＯＮとなることにより、検出部２３が係止穴１４にビ
スＢ４が係止されたことを検出できるので、係止穴１４を第１貫通穴部１４Ａと第２貫通穴部１４Ｂと第１貫通穴部１４Ａ及び第２貫通穴部１４Ｂを連結する弾性部材１４Ｃとから構成し、膨出した弾性部材１４Ｃに押されてＯＮとなるスイッチ２３Ａを備える簡単な構造の検出部２３を備えるだけで、プロジェクタ４００の天地の設置方向を検出することができることとなって、より安価に天地の設置方向を自動で判別できるプロジェクタ４００を提供できる。
【００４４】
なお、本発明に係る検出部として、第１〜第４の実施形態の検出部２，２１，２２，２３を例示したが、係止穴に固定金具が係止されたことを検出可能なものであれば、これ以外でもよい。
また、固定金具としてビスＢ２，ビスＢ３，ビスＢ４を例示したが、これに限定されるわけではなく、画像投影装置の筐体の係止穴に係止されるものであればよい。
また、係止穴１１の配置は、実施例に限定されるものではない。
【図面の簡単な説明】
【００４５】
【図１】本発明に係るプロジェクタの背面図である。
【図２】本発明に係るプロジェクタを天井に取り付けた状態における図１のＩＩ−ＩＩ矢視図である。
【図３】本発明の第１の実施形態に係るプロジェクタ内部の要部構成を示すブロック図である。
【図４】本発明の第１の実施形態に係るプロジェクタの天井への取り付け構造を示す断面図である。
【図５】本発明の第２の実施形態に係るプロジェクタの内部構成を示すブロック図である。
【図６】本発明の第２の実施形態に係るプロジェクタの天井への取り付け構造を示す断面図である。
【図７】本発明の第３の実施形態に係るプロジェクタの内部構成を示すブロック図である。
【図８】本発明の第３の実施形態に係るプロジェクタの天井への取り付け構造を示す断面図である。
【図９】本発明の第４の実施形態に係るプロジェクタの内部構成を示すブロック図である。
【図１０】本発明の第４の実施形態に係るプロジェクタの天井への取り付け構造を示す断面図である。
【符号の説明】
【００４６】
１  筐体
１１，１２，１３，１４  係止穴
１１Ａ  貫通穴部
１３Ａ  孔部
１４Ａ  第１貫通穴部
１４Ｂ  第２貫通穴部
１４Ｃ  弾性部材
２，２１，２２，２３  検出部
２Ａ  発光部
２Ｂ  受光部
２１Ａ，２２Ｂ，２３Ａ  スイッチ
２２Ａ  球体
３  ＣＰＵ（画像反転手段）
５Ａ  画像反転プログラム（画像反転手段）
１００，２００，３００，４００  プロジェクタ（画像投影装置）
Ｂ２，Ｂ３，Ｂ４  ビス（固定金具）
Ｔ  天井
【図１】
2007178651.tif 000003
【図２】
2007178651.tif 000004
【図３】
2007178651.tif 000005
【図４】
2007178651.tif 000006
【図５】
2007178651.tif 000007
【図６】
2007178651.tif 000008
【図７】
2007178651.tif 000009
【図８】
2007178651.tif 000010
【図９】
2007178651.tif 000011
【図１０】
2007178651.tif 000012